【手続補正書】
【提出日】平成21年2月25日(2009.2.25)
【手続補正１】
【補正対象書類名】明細書
【補正対象項目名】００３７
【補正方法】変更
【補正の内容】
【００３７】
インキ呼び出し回数制御装置２は、第１のインキ呼び出し回数制御装置２−１から、第Ｍのインキ呼び出し回数制御装置２−Ｍを備えている。インキツボローラ回転速度制御装置３は、第１のインキツボローラ回転速度制御装置３−１から、第Ｍのインキツボローラ回転速度制御装置３−Ｍを備えている。インキツボキー開き量制御装置４は、第１の印刷ユニットの第１のインキツボキー開き量制御装置４−１−１から、第Ｍの印刷ユニットの第Ｎのインキツボキー開き量制御装置４−Ｍ−Ｎを備えている。
【手続補正２】
【補正対象書類名】明細書
【補正対象項目名】００８４
【補正方法】変更
【補正の内容】
【００８４】
ステップＰ５３において、ＣＰＵ１０は、測色計２２に、測定指令信号を出力する。ＣＰＵ１０は、ステップＰ５３の処理が完了した後、ステップＰ５４を実行する。
ステップＰ５４において、ＣＰＵ１０は、Ａ／Ｄ変換器２９によってデジタル値に変換された測色計２２からの色データを読込み、メモリＭ１５の印刷で使用するＭ番目の印刷ユニット用のアドレス位置に記憶する。ＣＰＵ１０は、ステップＰ５４の処理が完了した後、ステップＰ５５を実行する。
【手続補正３】
【補正対象書類名】明細書
【補正対象項目名】０１１３
【補正方法】変更
【補正の内容】
【０１１３】
ステップＰ９６において、ＣＰＵ１０は、メモリＭ５に記憶されたカウント値Ｍよりも、今回の印刷で使用する印刷ユニット数Ｍｍａｘが小さいか判断する。ＣＰＵ１０は、メモリＭ５に記憶されたカウント値Ｍよりも、今回の印刷で使用する印刷ユニット数Ｍｍａｘが小さい場合、ステップＰ４６を実行する。ＣＰＵ１０は、メモリＭ５に記憶されたカウント値Ｍよりも、今回の印刷で使用する印刷ユニット数Ｍｍａｘが大きい、又は、メモリＭ５に記憶されたカウント値Ｍと、今回の印刷で使用する印刷ユニット数Ｍｍａｘとが同じ場合、ステップＰ８８を実行する。このループによって、ＣＰＵ１０は、各色の印刷ユニットのインキ呼び出し回数制御装置に、各色のインキ呼び出し機構駆動用モータの回転速度ＩＤＲｍを送信する。
【手続補正４】
【補正対象書類名】明細書
【補正対象項目名】０１１６
【補正方法】変更
【補正の内容】
【０１１６】
ステップＰ９８において、ＣＰＵ５３は、インキツボキーの開き量Ｋｍｎを受信し、この受信したインキツボキーの開き量ＫｍｎをメモリＭ２９に記憶する。ＣＰＵ５３は、ステップＰ９８の処理が完了した後、ステップＰ９９を実行する。
ステップＰ９９において、ＣＰＵ５３は、インキ供給量制御装置１に、受信確認信号を送信する。ＣＰＵ５３は、ステップＰ９９の処理が完了した後、ステップＰ１００を実行する。
ステップＰ１００において、ＣＰＵ５３は、受信したインキツボキーの開き量Ｋｍｎを、目標とするインキツボキーの開き量記憶用メモリＭ３０に書き込み、記憶する。ＣＰＵ５３は、ステップＰ１００の処理が完了した後にステップＰ１０１を実行する。
【手続補正５】
【補正対象書類名】明細書
【補正対象項目名】０１１８
【補正方法】変更
【補正の内容】
【０１１８】
ステップＰ１０３において、ＣＰＵ５３は、目標とするインキツボキーの開き量と、現在のインキツボキーの開き量とが同じであるか判断する。ＣＰＵ５３は、目標とするインキツボキーの開き量と現在のインキツボキーの開き量とが同じである場合、ステップＰ９７を実行する。また、ＣＰＵ５３は、目標とするインキツボキーの開き量と現在のインキツボキーの開き量とが同じでない場合、ステップＰ１０４を実行する。
【手続補正６】
【補正対象書類名】明細書
【補正対象項目名】０１２２
【補正方法】変更
【補正の内容】
【０１２２】
ステップＰ１０９において、ＣＰＵ５３は、メモリＭ３２に記憶した現在のインキツボキーの開き量と、メモリＭ３０に記憶した目標とするインキツボキーの開き量とが同じであるか判断する。ＣＰＵ５３は、現在のインキツボキーの開き量と、目標とするインキツボキーの開き量とが同じである場合、ステップＰ１１０を実行する。また、ＣＰＵ５３は、現在のインキツボキーの開き量と目標とするインキツボキーの開き量とが同じでない場合、ステップＰ１０７を実行する。
【手続補正７】
【補正対象書類名】明細書
【補正対象項目名】０２２５
【補正方法】変更
【補正の内容】
【０２２５】
ステップＰ１０９において、ＣＰＵ５３は、メモリＭ３２に記憶した現在のインキツボキーの開き量と、メモリＭ３０に記憶した目標とするインキツボキーの位置とが同じであるか判断する。ＣＰＵ５３は、現在のインキツボキーの開き量と、目標とするインキツボキーの開き量とが同じである場合、ステップＰ１１０を実行する。また、ＣＰＵ５３は、現在のインキツボキーの開き量と目標とするインキツボキーの開き量とが同じでない場合、ステップＰ１０７を実行する。
【手続補正８】
【補正対象書類名】明細書
【補正対象項目名】０２８８
【補正方法】変更
【補正の内容】
【０２８８】
ステップＰ１６８において、ＣＰＵ１０は、メモリＭ５に記憶されたカウント値Ｍよりも、メモリＭ１に記憶された印刷で使用する印刷ユニット数Ｍｍａｘが小さいか判断する。ＣＰＵ１０は、メモリＭ５に記憶されたカウント値Ｍよりも、メモリＭ１に記憶された印刷で使用する印刷ユニット数Ｍｍａｘが小さい場合、ステップＰ１６９を実行する。また、ＣＰＵ１０は、メモリＭ５に記憶されたカウント値Ｍよりも、メモリＭ１に記憶された印刷で使用する印刷ユニット数Ｍｍａｘが大きい、又は、メモリＭ５に記憶されたカウント値Ｍと、メモリＭ１に記憶された印刷で使用する印刷ユニット数Ｍｍａｘとが同じ場合、ステップＰ１６０を実行する。このループによって、ＣＰＵ１０は、各印刷ユニットで印刷されたパッチの色データを測定し、メモリＭ１５に記憶する。なお、この場合、各印刷ユニットのパッチの位置は、測色計移動用モータ２３の原点位置に近いほうから、１番目の印刷ユニットのパッチ、２番目の印刷ユニットのパッチ・・・Ｍ番目の印刷ユニットのパッチの順に印刷されているものとする。
【手続補正９】
【補正対象書類名】明細書
【補正対象項目名】０２９７
【補正方法】変更
【補正の内容】
【０２９７】
ステップＰ１８１において、ＣＰＵ１０は、２回目の濃度値測定スイッチＳＷ８が、オペレータによりＯＮにされているか判断する。ＣＰＵ１０は、２回目の濃度値測定スイッチＳＷ８がＯＮになっている場合、ステップＰ１８２を実行する。また、ＣＰＵ１０は、２回目の濃度値測定スイッチＳＷ８がＯＮになっていない場合、ステップＰ７４を実行する。このループによって、ＣＰＵ１０は、各印刷ユニットで印刷された各色のパッチの基準濃度値ＤＦｍを求める。
【手続補正１０】
【補正対象書類名】明細書
【補正対象項目名】０３１３
【補正方法】変更
【補正の内容】
【０３１３】
ステップＰ２０５において、ＣＰＵ１０は、インキ色ＩＣｍの濃度差ＤＤｍ−呼び出し停止回数変換テーブルを用いて、印刷ユニット番号ＵＮｍの印刷ユニットのインキ色ＩＣｍの２回目の濃度値ＤＯｍと基準濃度値ＤＦｍの濃度差ＤＤｍより、印刷ユニット番号ＵＮｍの印刷ユニットの呼び出し停止回数Ｃ１ｍを求め、この値をメモリＭ４０に記憶する。
【手続補正１１】
【補正対象書類名】明細書
【補正対象項目名】０３５２
【補正方法】変更
【補正の内容】
【０３５２】
次に、本発明の第４の実施の形態に係るインキ供給量制御装置について説明する。図３８（ａ）及び図３８（ｂ）は本発明の第４の実施の形態に係るインキ供給量制御装置のハードブロック図である。図３８（ａ）及び図３８（ｂ）に示すように、インキ供給量制御装置１は、ＣＰＵ１０、ＲＡＭ１１、ＲＯＭ１２、入力装置１３、表示器１４、出力装置１５、入出力インターフェイス（Ｉ／Ｏ，Ｉ／Ｆ）１６,１７,１９，２０，２１、印刷機の原動モータ用ロータリエンコーダ２８、Ａ／Ｄ変換器２９，３０、Ｆ／Ｖ変換器３２、インキ皮膜厚さ測定装置６２、メモリＭ１〜Ｍ９、メモリＭ１９〜Ｍ２４、メモリＭ３３，Ｍ３５，Ｍ３７、メモリＭ４７〜Ｍ４９を備えている。
【手続補正１２】
【補正対象書類名】明細書
【補正対象項目名】０３７８
【補正方法】変更
【補正の内容】
【０３７８】
ステップＰ３において、ＣＰＵ１０は、印刷で使用する印刷ユニット数ＭｍａｘをメモリＭ１へ、印刷で使用する印刷ユニット番号ＵＮｍをメモリＭ２へ、印刷で使用する印刷ユニット番号ＵＮｍの印刷ユニットのインキ色ＩＣｍをメモリＭ３へ、各インキツボキーに対応する範囲の絵柄面積率ＩＲｍｎをメモリＭ４へ、それぞれ入力及び記憶する。ＣＰＵ１０は、ステップＰ３の処理が完了した後、ステップＰ４を実行する。
【手続補正１３】
【補正対象書類名】明細書
【補正対象項目名】０３９３
【補正方法】変更
【補正の内容】
【０３９３】
ステップＰ４３において、ＣＰＵ１０は、メモリＭ５に記憶したカウント値Ｍに１を加算し上書きする。ＣＰＵ１０は、ステップＰ４３の処理が完了した後、ステップＰ４４を実行する。
ステップＰ４４において、ＣＰＵ１０は、印刷で使用する印刷ユニット数ＭｍａｘをメモリＭ１から読み込む。ＣＰＵ１０は、ステップＰ４４の処理が完了した後、ステップＰ４５を実行する。
【手続補正１４】
【補正対象書類名】明細書
【補正対象項目名】０４０３
【補正方法】変更
【補正の内容】
【０４０３】
ステップＰ２１９において、ＣＰＵ１０は、Ａ／Ｄ変換器２９によってデジタル値に変換されたインキ皮膜厚さ測定装置６２からの距離測定値Ｄを読込み、この値をメモリＭ３３に記憶する。ＣＰＵ１０は、ステップＰ２１９の処理が完了した後、ステップＰ２２０を実行する。
ステップＰ２２０において、ＣＰＵ１０は、選択されたインキ色ＩＣｍをメモリＭ３５から読み込む。ＣＰＵ１０は、ステップＰ２２０の処理が完了した後、ステップＰ２２１を実行する。
【手続補正１５】
【補正対象書類名】明細書
【補正対象項目名】０４１３
【補正方法】変更
【補正の内容】
【０４１３】
ステップＰ２３３において、ＣＰＵ１０は、メモリＭ５に記憶したカウント値Ｍよりも、メモリＭ１に記憶した印刷で使用する印刷ユニット数Ｍｍａｘが小さいか判断する。ＣＰＵ１０は、メモリＭ５に記憶したカウント値Ｍよりも、メモリＭ１に記憶された印刷で使用する印刷ユニット数Ｍｍａｘが小さい場合、ステップＰ２０８、ステップＰ２１５、ステップＰ２２２を介してステップＰ７４を実行する。また、ＣＰＵ１０は、メモリＭ５に記憶したカウント値Ｍよりも、メモリＭ１に記憶された印刷で使用する印刷ユニット数Ｍｍａｘが大きい、又は、メモリＭ５に記憶したカウント値Ｍと、メモリＭ１に記憶された印刷で使用する印刷ユニット数Ｍｍａｘとが同じ場合、ステップＰ２２４を実行する。
【手続補正１６】
【補正対象書類名】明細書
【補正対象項目名】０４３５
【補正方法】変更
【補正の内容】
【０４３５】
ステップＰ１０６において、ＣＰＵ５３は、インキツボキー駆動用モータドライバ５８に、正転指令を出力する。ＣＰＵ５３は、ステップＰ１０６の処理が完了した後、ステップＰ１０７を実行する。
ステップＰ１０５において、ＣＰＵ５３は、インキツボキー駆動用モータドライバ５８に、逆転指令を出力する。ＣＰＵ５３は、ステップＰ１０６の処理が完了した後、ステップＰ１０７を実行する。
【手続補正１７】
【補正対象書類名】明細書
【補正対象項目名】０４４５
【補正方法】変更
【補正の内容】
【０４４５】
ステップＰ１１８において、ＣＰＵ３３は、インキ呼び出し機構駆動用モータの回転速度ＩＤＲｍを受信し、この受信したインキ呼び出し機構駆動用モータの回転速度ＩＤＲｍをメモリＭ２５に記憶する。ＣＰＵ３３は、ステップＰ１１８の処理が完了した後、ステップＰ１１９を実行する。
ステップＰ１１９において、ＣＰＵ３３は、インキ供給量制御装置１に、受信確認信号を送信する。ＣＰＵ３３は、ステップＰ１１９の処理が完了した後、ステップＰ１２０を実行する。